(57)【要約】【課題】  多重印刷において、二次印刷を行う際に、印刷データの指定に時間の浪費や選択ミスが生じていた。【解決手段】  第一の画像形成装置用の画像形成情報である第一のデータと第二の画像形成装置用の画像形成情報である第二のデータを関連付けて記憶する手段と、前記第一の画像形成装置の出力物を前記画像読取装置より読み取り第三のデータに変換する手段と、前記第三のデータと前記第一のデータの類似度を算出する手段と、前記類似度が所定の閾値以上の場合に前記第一のデータに関連付けられた前記第二のデータを前記第二の印刷装置に送信する手段とを有する構成とする。【選択図】  図１
2009265820.tif 000002
【特許請求の範囲】
【請求項１】
複数の画像形成装置と１つの画像読取装置より成る画像形成システムであって、
第一の画像形成装置用の画像形成情報である第一のデータと第二の画像形成装置用の画像形成情報である第二のデータを関連付けて記憶する手段と、
前記第一の画像形成装置の出力物を前記画像読取装置より読み取り第三のデータに変換する手段と、
前記第三のデータと前記第一のデータの類似度を算出する手段と、
前記類似度が所定の閾値以上の場合に前記第一のデータに関連付けられた前記第二のデータを前記第二の印刷装置に送信する手段と
を有することを特徴とする画像形成システム。
【請求項２】
請求項１に記載の画像形成システムにおいて、前記第三のデータとの類似度が所定の閾値以上となる第一のデータが複数抽出された場合は、その抽出された第一のデータの一部または全てをユーザに表示して選択を促す手段と
を有することを特徴とする画像形成システム。
【請求項３】
請求項１または請求項２に記載の画像形成システムにおいて、前記第三のデータと前記第一のデータの類似度を算出する手段は、第三のデータと第一のデータの輝度情報またはカラー情報のヒストグラムの一致度を調べることで類似度を算出すること
を特徴とする画像形成システム。
【請求項４】
複数の画像形成装置を用いて複数回の画像形成処理を行う画像形成方法であって、
第一の画像形成装置の画像形成情報である第一のデータと第二の画像形成装置用の画像形成情報である第二のデータを関連付けて記憶する工程と、
前記第一の画像形成装置の出力物を前記画像読取装置より読み取り第三のデータに変換する工程と、
前記第三のデータと前記第一のデータの類似度を算出する工程と、
前記類似度が所定の閾値以上の場合に前記第一のデータに関連付けられた前記第二のデータを前記第二の印刷装置に送信する工程と
を有することを特徴とする画像形成方法。
【請求項５】
請求項４に記載の画像形成方法において、前記第三のデータとの類似度が所定の閾値以上となる第一のデータが複数抽出された場合は、その抽出された第一のデータの一部または全てをユーザに表示して選択を促す工程と
を有することを特徴とする画像形成方法。
【請求項６】
請求項４または請求項５に記載の画像形成方法において、前記第三のデータと前記第一のデータの類似度を算出する工程は、第三のデータと第一のデータの輝度情報またはカラー情報のヒストグラムの一致度を調べることで類似度を算出すること
を特徴とする画像形成方法。
【発明の詳細な説明】
【技術分野】
【０００１】
本発明は、印刷装置を複数台使用して同一の記録媒体上に複数回に印刷を行う“多重印刷”機能を持つ画像形成システム及び画像形成方法に関するものである。
【背景技術】
【０００２】
同一の紙面上に複数回印刷を行う多重印刷（別名ではプレプリント印刷・オーバーレイ印刷など）が商業印刷を中心に実施されている。例えば、一回目の印刷では標準的なプロセスインクであるシアン・マゼンタ・イエロー・ブラック（ＣＭＹＫ）のインクの印刷を標準印刷機で行い、二回目の印刷では透明インクや淡色インクといった特色インクでの印刷を特色専用印刷機で行う、といった用途で実施される。
【０００３】
多重印刷を行うには、オペレータは予め二台目の印刷装置に特色用の印刷データを登録しておき、次いでオペレータは一台目の標準印刷機にＣＭＹＫ印刷用の印刷データを送信する。一台目の印刷機による印刷が終了すると、オペレータは印刷物を二台目の印刷機に設置し、登録済みの特色用印刷データを操作画面で選択して二回目の印刷を実施する。以上の手順を持ってオペレータは多重印刷を実現していた。
【０００４】
しかし、印刷依頼を多数処理する商業印刷市場では、多数の印刷依頼を効率的に処理するために、多重印刷における二次印刷用データを二台目の印刷機に頻繁に登録することが行われている。そのため、オペレータが一次印刷の成果物に合った正しい二次印刷用データを二台目の印刷機のデータベースから探す作業が煩雑となり、時間の浪費や多数のミスプリントが発生してしまうといった問題があった。
【０００５】
上記問題の解決方法として、特許文献１に二次印刷用データを識別するための情報を一次印刷時に印刷しておくという手法が開示されている。二次印刷データの識別情報を印刷しておけば、二次印刷前に予め一次印刷の成果物をスキャンして識別情報を検知することで、適正な二次印刷データを取得することが可能となり、時間の浪費や多数のミスプリントを防ぐことが可能になる。
【特許文献１】特開2004-34294号公報
【発明の開示】
【発明が解決しようとする課題】
【０００６】
しかしながら、特許文献１の手法では、印刷の依頼をした顧客にとっては余計な情報が最終成果物に印刷されてしまう。そのため、顧客から依頼された印刷データ以外の情報は印刷できない多くのケースでは特許文献１の手法は使えず、前記問題が解決できないといった問題が生じていた。そのため、多重印刷において余計な情報の印刷は行わずとも時間の浪費や多数のミスプリントを防ぐ技術が望まれていた。
【課題を解決するための手段】
【０００７】
上述した課題を解決するために、本発明の画像形成システムは、
第一の画像形成装置用の画像形成情報である第一のデータと第二の画像形成装置用の画像形成情報である第二のデータを関連付けて記憶する手段と、前記第一の画像形成装置の出力物を前記画像読取装置より読み取り第三のデータに変換する手段と、前記第三のデータと前記第一のデータの類似度を算出する手段と、前記類似度が所定の閾値以上の場合に前記第一のデータに関連付けられた前記第二のデータを前記第二の印刷装置に送信する手段とを有することを特徴とする。
【０００８】
また、本発明の画像形成システムは、
前記第三のデータとの類似度が所定の閾値以上となる第一のデータが複数抽出された場合は、その抽出された第一のデータの一部または全てをユーザに表示して選択を促す手段と、を有することを特徴とする。
【０００９】
また、本発明の画像形成システムの前記第三のデータと前記第一のデータの類似度を算出する手段は、第三のデータと第一のデータの輝度情報またはカラー情報のヒストグラムの一致度を調べることで類似度を算出することを特徴とする。
【発明の効果】
【００１０】
本発明によって、余計な情報の印刷を行わずとも一次印刷の成果物を基に二次印刷データを自動抽出することが可能となり、オペレータによる二次印刷データの選択時間の浪費や多数のミスプリントを抑制ことが可能となる。
【発明を実施するための最良の形態】
【００１１】
次に、本発明の詳細を実施例の記述に従って説明する。
【実施例１】
【００１２】
本発明の第１の実施形態を、図面を参照して説明する。
【００１３】
図１は、本発明の画像形成システムの構成の一例を示す図である。この画像形成システムは、データ伝送経路１０１、コンピュータ１０２、第一次印刷用の印刷装置１０３、および第二次印刷用の印刷装置１０４より構成される。コンピュータ１０２と印刷装置１０３および印刷装置１０４は伝送経路１０１に接続されており、相互間のデータ通信が可能となっている。ユーザはコンピュータ１０２を使用して二重印刷のための描画データを作成・編集し、印刷装置１０３と印刷装置１０４に印刷命令データを送信することで二重印刷を実施する。本画像形成システムでは、印刷装置１０３は標準的なシアン・マゼンタ・イエロー・ブラックのカラートナーで印刷を行う電子写真印刷装置とし、印刷装置１０４は透明トナーや淡色トナーといった特色トナーで印刷を行う電子写真印刷装置とする。すなわち第二次印刷では第一次印刷で色再現不可能な印刷を行う。印刷装置１０３と１０４の装置はどのような印刷装置であっても構わない。例えば、背景を印刷するカラー印刷機と前景を印刷するカラー印刷機の組み合わせでも良いし、帳票の枠を印刷するモノクロ印刷機と内容を印刷するカラー印刷機の組み合わせでも良いし、その他の組み合わせでも良い。ただし、第二次印刷データの選択を支援する仕組みを設けるために、印刷装置１０４には第一次印刷の出力物を読み取るためのスキャナを有する或いは接続可能であることが必要である。
【００１４】
次に、コンピュータ１０２の構成を図２を用いて説明する。コンピュータ１０２はアプリケーション２０１およびプリンタドライバ２０２から構成される。ユーザはアプリケーション２０１を用いて二重印刷用の描画データを作成・編集し、プリンタドライバ２０２を用いて印刷命令データを作成し、印刷装置１０３および１０４に送信する。アプリケーション２０１は、例えばコンピュータの画面を見ながらマウスポインタを用いて描画データを編集するようなツールであっても良いし、その他のどのようなツールでも良い。アプリケーション２０１では、第一次印刷用の描画データと第二次印刷用の描画データの両方を作成する場合と、第一次印刷の描画データのみ作成する場合と、２つのケースがある。後者のケースでは、既に印刷装置１０４に登録済みの第二次印刷用描画データを選択して使用することになる。描画データの印刷を実施するには、ユーザはアプリケーション２０１の印刷機能を実行する。すると二重印刷用の描画データがプリンタドライバ２０２に渡され、適切な印刷命令データがプリンタドライバ２０２で作成される。そしてその印刷命令データを印刷装置１０３および印刷装置１０４に送信することで二重印刷のための適切な処理が印刷装置１０３と印刷装置１０４で実施される。
【００１５】
二重印刷の設定を行うための画面３０１を図３を用いて説明する。画面３０１は、第二次印刷データの設定欄３０２と、第二次印刷用プリンタの設定欄３０３と、印刷ボタン３０４と、キャンセルボタン３０５より構成される。ユーザがアプリケーション２０１で第一次印刷用の描画データと第二次印刷用の描画データの両方を作成した場合、ユーザは欄３０２で「同じドキュメントから指定」を選択し、第二次印刷用の描画データのページを指定する。また、ユーザが第一次印刷の描画データのみ作成した場合、ユーザは欄３０２で「登録済みデータから指定」を選択し、リストに表示されている登録済みデータのデータ名を選択する。次に、ユーザは欄３０３で第二次印刷用プリンタを設定する。第一次印刷と同じ印刷装置で第二次印刷を行う場合は「同じプリンタ」を選択する。本実施形態における二重印刷では、第二次印刷は第一次印刷と異なる印刷装置で行うことを前提としているため、ユーザは「別のプリンタ」を選択し、第二次印刷を行うプリンタの名前を選択する。二重印刷を開始するには印刷ボタン３０４を押下する。すると、プリンタドライバ２０２は画面３０１で設定された内容に従って適切な印刷命令データを作成し、印刷装置１０３および１０４に送信する。
【００１６】
次に、プリンタドライバ２０２の処理手順を図１１のフローチャートを用いて説明する。まず、処理Ｓ１０１ではアプリケーション２０１で作成した描画データを基に第一次印刷用の印刷命令データを作成する。そして処理Ｓ１０２で第一次印刷用の印刷命令データを印刷装置１０３に送信する。これにより印刷装置１０３で印刷処理が開始される。次に処理Ｓ１０３で第二次印刷用の印刷命令データを作成する。そして処理Ｓ１０４で第二次印刷用の印刷命令データを印刷装置１０４に送信する。これにより、印刷装置１０４は第二次印刷用の印刷命令データを装置内に登録する。
【００１７】
処理Ｓ１０１の詳細を図１２のフローチャートを用いて説明する。まず、処理Ｓ２０１で印刷命令データのHEADERのOPERATIONにPRINT命令を記載する。この命令は印刷処理を最後まで実施することを指示ものである。次に、処理Ｓ１０２では画面３０１の“第二次印刷データの設定”の欄３０２の設定値を判定する。欄３０２の設定値が“同じドキュメントから指定”の場合は、処理Ｓ２０３に移り、指定ページを除いた描画データを印刷命令データのCONTENTに記載する。また、欄３０２の設定値が“登録済みデータから指定”の場合は、処理Ｓ２０４に移り、全描画データを印刷命令データのCONTENTに記載する。以上の処理によって作成された印刷命令データの例を図４の４０１に示す。最後に処理Ｓ２０５で印刷命令データ４０１を印刷装置１０３に送信する。
【００１８】
処理Ｓ１０２の詳細を図１３のフローチャートを用いて説明する。まず、処理Ｓ３０１で画面３０１の“第二次印刷データの設定”の欄３０３の設定値を判定する。欄３０３の設定値が“同じドキュメントから指定”の場合は、処理Ｓ３０２に移り、印刷命令データのHEADERのOPERATIONにREGIST命令を記載する。この命令は第二次印刷用の描画データを第一次印刷用の描画データと関連させて記憶装置に格納することを指示するものである。次に処理Ｓ３０３で印刷命令データのCONTENTに第一次印刷用の描画データの先頭ページ分を記載する。そして処理Ｓ３０４で更にCONTENTに第二次印刷用の全描画データを追記する。以上の処理によって作成された印刷命令データの例を図４の４０２に示す。また、欄３０３の設定値が“登録済みデータから指定”の場合は、処理Ｓ３０５に移り、印刷命令データのHEADERのOPERATIONにREGIST命令を記載しSELECT_IDに画面３０１の欄３０２で設定されたデータ名を記載する。この命令は登録済みの第二次印刷用の描画データを第一次印刷用の描画データと関連させることを指示するものである。次に処理Ｓ３０６で印刷命令データのCONTENTに第一次印刷用の描画データの先頭ページ分を記載する。以上の処理によって作成された印刷命令データの例を図４の４０３に示す。最後に処理Ｓ３０７で印刷命令データ４０２または４０３を印刷装置１０４に送信する。
【００１９】
次に、印刷装置１０３の構成を図５を用いて説明する。印刷装置１０３は、ジョブ管理部５０１、ＰＤＬ処理部５０２、ＣＭＳ処理部５０３、ＲＩＰ処理部５０４、色版分解処理部５０６、二値化処理部５０７、プリント出力部５０８から構成される。ジョブ管理部５０１は伝送経路１０１を介してプリンタドライバ２０２から印刷命令データ４０１を受け取る。印刷命令データ４０１にはHEADERのOPERATIONにPRINT命令が記載されているため、ジョブ管理部５０１は印刷装置１０３内の印刷処理が最後まで実施されるよう各処理部に指示を出し、印刷命令データ４０１をＰＤＬ処理部５０２に出力する。ＰＤＬ処理部５０２は印刷命令データ４０１のCONTENTの描画データを解釈する。そして描画データのＲＧＢカラー信号をＣＭＳ処理部５０３を用いて印刷装置１０３の固有色空間のＲＧＢカラー信号に変換し、ＲＩＰ処理部５０４に描画を指示する。ＲＩＰ処理部５０４はページメモリに描画を行うことで各ページのＲＧＢ画像データを生成し色版分解処理部５０６に出力する。色版分解処理部５０６ではＲＧＢ画像データを基にＣＭＹＫ版ごとの階調画像を作成する。次に二値化処理部５０７では各版の階調画像を２値のハーフトーン画像に変換してプリント出力部５０８に出力する。最後に、プリント出力部５０８がハーフトーン画像に従ってＣＭＹＫトナーを現像・定着させることによって、ＣＭＹＫトナーによる印刷物が出力される。
【００２０】
次に、印刷装置１０４の構成を図６を用いて説明する。印刷装置１０４は、ジョブ管理部６０１、ＰＤＬ処理部６０２、ＣＭＳ処理部６０３、ＲＩＰ処理部６０４、ページデータ記憶装置６０５、原稿読取部６０６、第二次印刷データ検出部６０７、第二次印刷データ指定部６０８、色版分解処理部６０９、二値化処理部６１０、プリント出力部６１１から構成される。ジョブ管理部６０１は伝送経路１０１を介してプリンタドライバ２０２から印刷命令データ４０２または４０３を受け取る。印刷命令データ４０２または４０３のHEADERのOPERATIONにREGIST命令が記載されているため、ジョブ管理部６０１は第二次印刷用の描画データを登録し第一次印刷用の描画データと関連付ける処理を行うよう各処理部に指示を出す。また、HEADERのSELECT_IDに値が入っている場合、ジョブ管理部６０１は登録済みの第二次印刷用の描画データを第一次印刷用の描画データと関連付ける処理を行うよう各処理部に指示を出す。そしてジョブ管理部６０１は印刷命令データ４０１または４０２をＰＤＬ処理部６０２に出力する。ＰＤＬ処理部６０２は印刷命令データ４０１または４０２のCONTENTの描画データを解釈する。そして描画データのＲＧＢカラー信号をＣＭＳ処理部６０３を用いて印刷装置１０４の固有色空間のＲＧＢカラー信号に変換し、ＲＩＰ処理部６０４に描画を指示する。ＲＩＰ処理部６０４はページメモリに描画を行うことで各ページのＲＧＢ画像データを生成しページデータ記憶装置６０５に出力する。ページデータ記憶装置６０５は第一次印刷用の描画データと第二次印刷用の描画データを関連付けて記憶する。この関連付けは、第一次印刷用の描画データの先頭ページ画像と第二次印刷用の描画データの全ページ画像を連結して保存することで表現している。その関連付けの様子を図７に示す。印刷命令データのHEADERのSELECT_IDに値が入っていない場合、CONTENTには第一次印刷用の描画データの先頭ページ分と第二次印刷用の全描画データが記載されている（すなわち印刷命令データ４０２である）。この場合、ＲＩＰ処理部６０４の出力データをそのままページデータ記憶装置６０５に格納するだけでよい。また、印刷命令データのHEADERのSELECT_IDに値が入っている場合、CONTENTには第一次印刷の描画データの先頭ページ分のみ記載されている（すなわち印刷命令データ４０３である）。そのためSELECT_IDに記載されている第二次印刷用の描画データをページデータ記憶装置６０５から取得し、ＲＩＰ処理部６０４の出力データに追記してページデータ記憶装置６０５に再度格納すればよい。以上より、第二次印刷データを第一次印刷データと関連付けて記憶することが完了したことになる。
【００２１】
印刷装置１０３による第一次印刷が完了した後、ユーザは第一次印刷の印刷物を第二次印刷用の印刷装置１０４に設置する。そして、印刷装置１０４の操作画面で第二次印刷の設定画面８０１を開き、第二次印刷データの設定を行う。第二次印刷の設定画面８０１を図８を用いて説明する。第二次印刷の設定画面８０１は、自動設定ボタン８０２、手動設定ボタン８０３、キャンセルボタン８０４、ＯＫボタン８０５から構成される。ユーザはこの画面で第二次印刷のデータを自動で設定するか、手動で設定するかを選択する。自動で設定する場合は、第一次印刷物の表紙（先頭ページ）を印刷装置１０４の原稿読取部６０６に設置し、自動設定ボタンを押下する。すると原稿読取部６０６は原稿画像を取得しＣＭＳ処理部６０３を用いて印刷装置１０４の固有色空間のＲＧＢ画像データに変換する。次に第二次印刷データ検出部６０７では、ページデータ記憶装置６０５に格納してある先頭ページと上記ＲＧＢ画像データとマッチングを行い、スコア（類似度）が高い格納データを第二次印刷データ指定部６０８に出力する。マッチングのアルゴリズムの詳細については後述する。第二次印刷データ指定部６０８は、その受け取ったデータを第二次印刷データ選択画面９０１に第二次印刷データの候補としてリスト表示し、ユーザに選択を促す。
【００２２】
第二次印刷データ選択画面９０１の構成を図９を用いて説明する。画面９０１は、第二次印刷の候補データをリスト表示する表示部９０２と、候補データのプレビュー画面９０３と、詳細を表示するための詳細情報ボタン９０４と、キャンセルボタン９０５と、ＯＫボタン９０６から構成される。ユーザは、プレビュー９０３と詳細情報９０４を参考に所望の第二次印刷データを表示部９０２から選択し、ＯＫボタン９０６を押下することで、第二次印刷処理が実施される。
【００２３】
第二次印刷データ指定部６０８は、ユーザから指定されたデータをページデータ記憶装置６０５から取得し、先頭ページにある第一次印刷データを除去して色版分解処理部６１０に出力する。色版分解処理部６０９では第二次印刷用の描画データを基に特色版の階調画像を作成する。次に二値化処理部６１０では特色版の階調画像を２値のハーフトーン画像に変換してプリント出力部６１１に出力する。最後に、プリント出力部５０８がハーフトーン画像に従って特色トナーを現像・定着させることによって、第一次印刷の上に特色の印刷を行った印刷物が得られる。
【００２４】
また、ユーザが第二次印刷データを自動で設定せず手動で設定する場合は、第二次印刷の設定画面８０１で手動設定ボタンを押下する。するとページデータ記憶装置６０５に格納されている全ての関連付けデータを第二次印刷データ選択画面９０１に候補としてリスト表示し、ユーザに選択を促す。ユーザが第二次印刷データを指定した後の印刷装置１０４の処理は自動設定のときの第二次印刷データ指定部６０８以降の処理と同じである。
【００２５】
第二次印刷データ検出部６０７において、原稿読取装置６０６で取得した原稿画像とページデータ記憶装置内の格納データのマッチングを行う手法について図１４のフローチャートを用いて説明する。まず、処理Ｓ４０１でマッチングを取る対象の画像を取得する。マッチングを取る対象の画像は、原稿読取部６０６から取得した原稿画像と、ページデータ格納装置６０５に格納されているデータの先頭ページ画像（第一次印刷データ）である。この類似度が高ければこの格納データの２ページ目以降のデータ（第二次印刷データ）が正しい第二次印刷データの候補となる。次に、処理Ｓ５０２で各画像のヒストグラムをＲＧＢ信号別々に計算して取得する。図１０にＲＧＢ画像とそのヒストグラムの例を示す。次に、処理Ｓ５０３でヒストグラムの一致度を計算し、類似度とする。その計算方法は、例えばヒストグラムの重なる面積を調べ、それを全体度数で割って正規化する方法が挙げられる。次に、Ｓ５０４でその類似度が所定の閾値以上（例えば本実施例では０．５）以上であるかどうかを判定し、閾値以上であれば処理Ｓ５０５でその類似度を出力する。類似度が閾値未満であれば、処理Ｓ５０６で類似度を０として出力する。
【００２６】
本実施形態によれば、余計な印刷を行わずとも一次印刷の成果物のスキャンデータを基に二次印刷データの候補の自動抽出することが可能となり、ユーザによる二次印刷データの選択時間の削減やミスプリントの抑制が実現できる。
【実施例２】
【００２７】
次に、本発明の第２の実施形態として、コンピュータが第一次印刷用の印刷装置に第一次印刷と第二次印刷の描画データを両方送信することで二重印刷を実現する例を説明する。この実施例は、プリンタドライバ２０２の処理内容および第一次印刷用の印刷装置１０３の処理内容のみ第１の実施例と異なる。それぞれの処理内容について説明する。
【００２８】
まずプリンタドライバ２０２の処理について図１５のフローチャートを用いて説明する。最初に処理Ｓ１５０１ではアプリケーション２０１で作成した描画データを基に印刷命令データを作成する。そして処理Ｓ１５０２で印刷命令データを印刷装置１０３に送信する。これにより印刷装置１０３では印刷処理の実行と第二次印刷用の印刷命令データの作成が行われる。
【００２９】
次に処理Ｓ１５０１の詳細を図１６のフローチャートを用いて説明する。まず、処理Ｓ１６０１で画面３０１の“第二次印刷データの設定”欄３０３の設定値を判定する。欄３０３の設定値が“同じドキュメントから指定”の場合は、処理Ｓ１６０２に移り、印刷命令データのHEADERのOPERATIONにPRINT+REGIST命令を記載する。この命令は印刷装置１０３で印刷処理を実施し、かつ第二次印刷用の印刷命令コマンドの作成を指示するものである。さらに第二次印刷を行うプリンタの名称をHEADERのPRINTERに記載する。次に処理Ｓ１６０３で印刷命令データのCONTENTに第一次印刷用の描画データを全ページ分記載する。そして処理Ｓ１６０４でCONTENTに第二次印刷用の描画データを全ページ分追記する。以上の処理によって作成された印刷命令データの例を図１７の１７０１に示す。また、欄３０３の設定値が“登録済みデータから指定”の場合は、処理Ｓ１６０５に移り、印刷命令データのHEADERのOPERATIONにPRINT+REGIST命令を記載する。さらに、第二次印刷を行うプリンタの名称をHEADERのPRINTERに記載し、SELECT_IDに画面３０１の欄３０２で設定されたデータ名を記載する。次に処理Ｓ１６０６で印刷命令データのCONTENTに第一次印刷用の描画データの全ページ分を記載する。以上の処理によって作成された印刷命令データの例を図１７の１７０２に示す。最後に処理Ｓ１６０７で印刷装置１０３に印刷命令データ１７０１または１７０２を送信する。
【００３０】
次に、印刷装置１０３の処理内容について説明する。ジョブ管理部５０１は伝送経路１０１を介してプリンタドライバ２０２から印刷命令データ１７０１または印刷命令データ１７０２を受け取る。印刷命令データのHEADERのOPERATIONにPRINT命令が記載されているため、ジョブ管理部５０１は印刷装置１０３内の印刷処理工程が最後まで実施されるよう各処理部に処理を指示を出す。それ以降のプリント出力部５０８の処理まで第１の実施形態と同一である。さらに、ジョブ管理部５０１は印刷命令データのHEADERにREGIST命令が記載されていることを検出し、第二次印刷データの登録または選択のための印刷命令データを作成する処理を開始する。
【００３１】
図１８に印刷処理以降のジョブ管理部５０１の処理内容を示す。まず処理Ｓ１８０１では印刷命令データ１７０１または１７０２を基に印刷装置１０４に送信する印刷命令データを作成する。そして処理Ｓ１８０２で印刷命令データを印刷装置１０３に送信する。
【００３２】
次に、処理Ｓ１８０１の詳細を図１９のフローチャートを用いて説明する。まず、処理Ｓ１９０１ではプリンタドライバ２０２から送られた印刷命令データのHEADERのSELECT_IDの値を判定する。SELECT_IDの値が空白の場合は、処理Ｓ１９０２に移り第二次印刷用の描画データを作成する処理を開始する。処理Ｓ１９０２で印刷命令データのHEADERのOPERATIONにREGIST命令を記載する。この命令は第二次印刷用の描画データを第一次印刷用の描画データと関連させて記憶装置に格納することを指示するものである。次に処理Ｓ１９０３で印刷命令データのCONTENTに第一次印刷の描画データの先頭ページ分を記載する。そして処理Ｓ１９０４で印刷命令データのCONTENTに第二次印刷用の描画データを全て追記する。以上の処理によって作成された印刷命令データの例を図４の４０２に示す。また、SELECT_IDの値が空白でない場合は、処理Ｓ１９０５に移り第二次印刷用の描画データを作成せず第一次印刷データとの関連情報のみ作成する処理を開始する。処理Ｓ１９０５で印刷命令データのHEADERのOPERATIONにREGISTER命令を記載し、さらにHEADERのSELECT_IDに印刷命令データ１７０２に記載されている第二次印刷用のデータ名を記載する。次に処理Ｓ１９０６で印刷命令データのCONTENTに第一次描画データの先頭ページ分を記載する。以上の処理によって作成された印刷命令データの例を図４の４０３に示す。最後に処理Ｓ１９０７で印刷装置１０４に印刷命令データ４０２または４０３を送信する。
【００３３】
印刷装置１０４の処理内容は第１の実施形態と同一である。
【００３４】
本実施形態によれば、ユーザはコンピュータ１０２を用いて第一次印刷用の印刷装置１０３と通信を行うだけで、第１の実施形態と同じ効果を実現することが可能となる。
【００３５】
［その他の実施例］
今回は２台の印刷装置を用いて多重印刷を行う印刷システムの例を説明したが、３台以上の印刷装置を用いた多重印刷システムでも構わない。
【図面の簡単な説明】
【００３６】
【図１】本発明の実施形態における画像形成システムの構成を示す図。
【図２】本発明の実施形態におけるコンピュータ１０２の構成を示す図。
【図３】本発明の実施形態におけるプリンタドライバ２０２の画面を示す図。
【図４】本発明の実施形態における印刷命令データを示す図。
【図５】本発明の実施形態における印刷装置１０３を示す図。
【図６】本発明の実施形態における印刷装置１０４を示す図。
【図７】本発明の実施形態における第二次印刷データの保持方法を示す図。
【図８】本発明の実施形態における第二次印刷データの取得方法設定画面を示す図。
【図９】本発明の実施形態における第二次印刷データの一覧表示画面を示す図。
【図１０】本発明の実施形態における原稿画像のヒストグラムの例を示す図。
【図１１】本発明の第１の実施形態におけるプリンタドライバ２０２の処理手順を示す図。
【図１２】本発明の第１の実施形態におけるプリンタドライバ２０２の処理Ｓ１０１の詳細を示す図。
【図１３】本発明の第１の実施形態におけるプリンタドライバ２０２の処理Ｓ１０３の詳細を示す図。
【図１４】本発明の実施形態における第二次印刷データ検出部６０７による類似度算出方法を示す図。
【図１５】本発明の第２の実施形態におけるプリンタドライバ２０２の処理手順を示す図。
【図１６】本発明の第２の実施形態におけるプリンタドライバ２０２の処理Ｓ１５０１の詳細を示す図。
【図１７】本発明の第２の実施形態における印刷命令データを示す図。
【図１８】本発明の第２の実施形態における印刷装置１０３のジョブ管理部の処理手順を示す図。
【図１９】本発明の第２の実施形態における印刷装置１０３のジョブ管理部の処理Ｓ１８０１の詳細を示す図。
【符号の説明】
【００３７】
１０１  各装置のデータ通信を媒介する伝送経路および伝送装置
１０２  プリントデータを作成するコンピュータ
１０３  第一次印刷を行うための印刷装置
１０４  第二次印刷を行うための印刷装置
３０１  二重印刷の設定を行うための画面
【図１】
2009265820.tif 000003
【図２】
2009265820.tif 000004
【図３】
2009265820.tif 000005
【図４】
2009265820.tif 000006
【図５】
2009265820.tif 000007
【図６】
2009265820.tif 000008
【図７】
2009265820.tif 000009
【図８】
2009265820.tif 000010
【図９】
2009265820.tif 000011
【図１０】
2009265820.tif 000012
【図１１】
2009265820.tif 000013
【図１２】
2009265820.tif 000014
【図１３】
2009265820.tif 000015
【図１４】
2009265820.tif 000016
【図１５】
2009265820.tif 000017
【図１６】
2009265820.tif 000018
【図１７】
2009265820.tif 000019
【図１８】
2009265820.tif 000020
【図１９】
2009265820.tif 000021